(57)【要約】【課題】本発明は、ユーザが希望するデータを、複数の再生装置の中からユーザが希望する再生装置に対して的確に提供可能な携帯端末装置、再生装置およびデータ管理装置を提供する。【解決手段】第１のステレオ２２で再生する音楽をＰＤＡ３１に入力すると、ＰＤＡ３１は制御データ及びＰＤＡ固有番号を赤外線発光部３６及び無線ＬＡＮ通信部３７の双方から送信する。第１のステレオ２２では、赤外線受光部１８から受信したＰＤＡ固有番号をホームサーバ１へ送信する。ホームサーバ１では、第１のステレオ２２から受信したＰＤＡ固有番号と、ＰＤＡ３１から無線で受信したＰＤＡ固有番号とを比較し、ＰＤＡ固有番号が一致したら、第１のステレオ２２に対して、指示されたコンテンツデータを配信する。【選択図】  図８
2004179934.tif 000002
【特許請求の範囲】
【請求項１】
データを再生する複数の再生装置に接続され前記再生装置で再生可能なデータを格納し、前記再生装置に対してデータを配信するデータ管理装置と、前記再生装置とに対して情報を送信する携帯端末装置において、
外部からの指示が入力される入力手段と、
当該携帯端末装置を識別するための端末装置識別情報を記憶する記憶手段と、
前記データ管理装置に対して無線で情報を送信する第１の送信手段と、
この第１の送信手段とは別に、前記再生機器に対して無線で情報を送信する第２の送信手段と、
前記入力手段から指示入力が行われると、前記第１の送信手段を用いて指示内容と前記端末装置識別情報を前記データ管理装置に送信し、前記第２の送信手段を用いて少なくとも前記端末装置識別情報を前記再生装置に送信するよう制御する制御手段と、
を有することを特徴とする携帯端末装置。
【請求項２】
前記制御手段は、前記データ管理装置に記憶されているデータの再生の指示が前記入力手段から入力されると、前記第１の送信手段を用いて指示内容と前記端末装置識別情報を前記データ管理装置に送信し、前記第２の送信手段を用いて少なくとも前記端末装置識別情報を前記再生装置に送信するよう制御することを特徴とする請求項１記載の携帯端末装置。
【請求項３】
データを記憶するデータ管理装置に接続され、別体に形成された携帯端末装置からの情報に基づいて前記データ管理装置に記憶されたデータを再生する再生装置において、
当該再生装置を識別するための再生装置識別情報を記憶する記憶手段と、
前記携帯端末装置から送信される前記携帯端末装置を識別するための端末装置識別情報を無線で受信する受信手段と、
この受信手段によって前記端末装置識別情報が受信されると、受信した前記端末装置識別情報と、前記記憶手段に記憶された再生装置識別情報とを前記データ管理装置に対して送信する送信手段と、
を有することを特徴とする再生装置。
【請求項４】
データを再生する複数の再生装置に接続され前記再生装置で再生可能なデータを格納し、前記再生装置に対してデータを配信するデータ管理装置において、
別体に形成された携帯端末装置から、この携帯端末装置を識別するための端末装置識別情報を無線で受信する第１の受信手段と、
前記再生装置から前記端末装置識別情報を受信する第２の受信手段と、
前記第１の受信手段により受信された端末装置識別情報と、前記第２の受信手段により受信された端末装置識別情報とが一致すると、前記第２の受信手段によって受信された前記端末装置識別情報を送信した前記再生装置に対して格納されているデータを配信する送信手段と、
を有することを特徴とするデータ管理装置。
【請求項５】
前記第２の受信手段は、前記再生装置からこの再生装置を識別するための再生装置識別情報と前記端末装置識別情報とを受信するものであり、
前記送信手段は、
前記第１の受信手段により受信された端末装置識別情報と、前記第２の受信手段により受信された端末装置識別情報とが一致すると、前記第２の受信手段によって受信された前記端末装置識別情報とともに送信された前記再生装置識別情報に基づいてデータを配信する再生装置を判断する判断手段と、
この判断手段によって判断された再生装置に対して格納されているデータを配信するよう制御する制御手段と、
を有することを特徴とする請求項４記載のデータ管理装置。
【発明の詳細な説明】
【０００１】
【発明の属する技術分野】
本発明は、複数の再生装置の中からユーザが希望する再生装置においてデータを再生するための携帯端末装置、再生装置およびデータ管理装置に提供することを目的とする。
【０００２】
【従来の技術】
近年、家屋内において、例えば特開２００１−３６８３２号公報に記載されているように、複数のユーザが一台の放送受信装置を用いる場合に、リモコンから赤外線でユーザコードを含むリモコンコードを送信し、ユーザコードに応じてチャネル情報を書き込む記憶部を判断する放送受信装置が考えられている。
【０００３】
【特許文献１】
特開２００１−３６８３２号公報
【０００４】
【発明が解決しようとする課題】
しかしながら、従来の装置では、個々のユーザの希望するデータを希望する再生装置に再生しているものの、複数の再生装置が設定されている場合を何等考慮していない。複数の再生装置が設定されている場合には、ユーザの希望するデータをどの再生装置に提供すればよいのか、どのように判断すればよいか何等記載されていない。
【０００５】
本発明は、以上の点に鑑みなされたもので、ユーザが希望するデータを、複数の再生装置の中からユーザが希望する再生装置に対して的確に提供可能な携帯端末装置、再生装置およびデータ管理装置に提供することを目的とする。
【０００６】
【課題を解決するための手段】
上記目的を達成するために、本発明の携帯端末装置は、データを再生する複数の再生装置に接続され前記再生装置で再生可能なデータを格納し、前記再生装置に対してデータを配信するデータ管理装置と、前記再生装置とに対して情報を送信する携帯端末装置において、外部からの指示が入力される入力手段と、当該携帯端末装置を識別するための端末装置識別情報を記憶する記憶手段と、前記データ管理装置に対して無線で情報を送信する第１の送信手段と、この第１の送信手段とは別に、前記再生機器に対して無線で情報を送信する第２の送信手段と、前記入力手段から指示入力が行われると、前記第１の送信手段を用いて指示内容と前記端末装置識別情報を前記データ管理装置に送信し、前記第２の送信手段を用いて少なくとも前記端末装置識別情報を前記再生装置に送信するよう制御する制御手段と、を有することを特徴とする。
【０００７】
上記目的を達成するために、本発明の再生装置は、データを記憶するデータ管理装置に接続され、別体に形成された携帯端末装置からの情報に基づいて前記データ管理装置に記憶されたデータを再生する再生装置において、当該再生装置を識別するための再生装置識別情報を記憶する記憶手段と、前記携帯端末装置から送信される前記携帯端末装置を識別するための端末装置識別情報を無線で受信する受信手段と、この受信手段によって前記端末装置識別情報が受信されると、受信した前記端末装置識別情報と、前記記憶手段に記憶された再生装置識別情報とを前記データ管理装置に対して送信する送信手段と、を有することを特徴とする。
【０００８】
上記目的を達成するために、本発明のデータ管理装置は、データを再生する複数の再生装置に接続され前記再生装置で再生可能なデータを格納し、前記再生装置に対してデータを配信するデータ管理装置において、別体に形成された携帯端末装置から、この携帯端末装置を識別するための端末装置識別情報を無線で受信する第１の受信手段と、前記再生装置から前記端末装置識別情報を受信する第２の受信手段と、前記第１の受信手段により受信された端末装置識別情報と、前記第２の受信手段により受信された端末装置識別情報とが一致すると、前記第２の受信手段によって受信された前記端末装置識別情報を送信した前記再生装置に対して格納されているデータを配信する送信手段と、を有することを特徴とする。
【０００９】
【発明の実施の形態】
以下、本発明に係る実施の形態について図面を参照して詳細に説明する。図１乃至図７を用いて本発明の一実施の形態に係るデータ管理装置としてのホームサーバ１及び家屋内に設置された周辺機器の構成を概略的に説明する。図１は、ホームサーバ１及び家屋内に設置された周辺機器の構成を示すブロック図である。
【００１０】
本実施例では、家屋内には部屋が３つあり、第１の部屋にはホームサーバ１と、このホームサーバに無線あるいは有線で接続された中継器としての無線ＬＡＮアクセスポイント１１が設置されている。尚、この無線ＬＡＮアクセスポイント１１は、後述する第２の部屋、あるいは第３の部屋に設置されていてもよい。
【００１１】
第２の部屋には、再生装置として第１のモニタ２１、第１のステレオ２２及び第２のステレオ２３が設置されている。第３の部屋には、再生装置として第２のモニタ２４、第３のモニタ２５及び第３のステレオ２６が設置されている。即ち、第２の部屋には１つのモニタと２つのステレオがあり、第３の部屋には２つのモニタと１つのステレオがあり、夫々の部屋に複数の再生装置が設置されている状況である。
【００１２】
これら複数のモニタ及びステレオ２１〜２６には、夫々対応する変換装置２７ａ〜２７ｆが接続されている。即ち、第１のモニタ２１には変換装置２７ａが接続されており、第１のステレオ２２には変換装置２７ｂが接続されており、第２のステレオ２３には変換装置２７ｃが接続されており、第２のモニタ２４には変換装置２７ｄが接続されており、第３のモニタ２５には変換装置２７ｅが接続されており、第３のステレオ２６には変換装置２７ｆが接続されている。
【００１３】
更に、これら複数のモニタ及びステレオ２１〜２６は、ホームサーバ１と接続されている。そして、これら複数のモニタ及びステレオ２１〜２６に対するリモコン装置（インテリジェントリモコン装置）として、携帯端末装置であるＰＤＡ（Ｐｅｒｓｏｎａｌ  Ｄｉｇｉｔａｌ  Ａｓｓｉｓｔａｎｔ）３１が用いられている。
【００１４】
ホームサーバ１は、図２に示すように、主に制御部２、表示部３、入力部４、メモリ５及び通信部６とを有している。ホームサーバ１は、通信部６を介して外部あるいは屋内の各装置から受信した映像や音楽等のデータをメモリ５に蓄積している。
【００１５】
メモリ５には、このような映像や音楽等のデータ以外に、ＰＤＡ３１に送信するためのＷｅｂ形式あるいは独自形式のメニュー画面情報を格納している。更にメモリ５には、図３に示すような各再生装置２１〜２６の識別情報のテーブルをも格納している。
【００１６】
図３に示す識別情報テーブルは、各再生装置２１〜２６の識別情報と送信先アドレスを対応させたものである。例えば、第１のモニタ２１の識別情報として１００１、送信アドレスとしてＡＡＡＡＡが割り当てられており、第１のステレオ２２の識別情報として１００２、送信アドレスとしてＢＢＢＢＢが割り当てられている。他の再生装置２３〜２６についても同様に割り当てられている。尚、識別情報の格納方法についてはこれに限らず、送信アドレス自体を送受信しても良い。
【００１７】
無線ＬＡＮアクセスポイント１１は、ホームサーバ１から送信された情報をＰＤＡ３１あるいはその他の図示せぬ機器に対して無線で転送したり、ＰＤＡ３１から無線で送信された情報をホームサーバ１へ転送したりする。
【００１８】
ＰＤＡ３１は、図４に示すように、制御部３２、表示部３３、入力部３４、メモリ３５、赤外線発光部３６、及び無線ＬＡＮ通信部３７とを有している。そして、制御部３２は、無線ＬＡＮ通信部３７を介してホームサーバ１から送信されたＷｅｂ形式あるいは独自形式のメニュー画面情報を受信し、表示部３３に表示する。
【００１９】
また、制御部３２は、表示部３３に表示されたメニュー画面等に対応して入力部３４より入力された入力情報を、制御データとして赤外線発光部３６あるいは無線ＬＡＮ通信部３７から、選択的にあるいはほぼ同時に外部へ送信する。この制御データは、例えば停止、再生開始、次のトラック等を示す制御コードから構成される。
【００２０】
また、ＰＤＡ３１は、ＰＤＡ固有番号をメモリ３５に格納している。このＰＤＡ固有番号は、例えばＭＡＣアドレスやＵＵＩＤ（Ｕｎｉｖｅｒｓａｌｌｙ  Ｕｎｉｑｕｅ  Ｉｄｅｎｔｉｆｉｅｒｓ）から構成されている。
【００２１】
従って、制御部３２では、上記制御データの送信の際に、メモリ３５からＰＤＡ固有番号を読み出し、図５に示すようなデータ形式で、制御データとともに、赤外線発光部３６あるいは無線ＬＡＮ通信部３７から外部へ送信する。
【００２２】
制御部３２は、入力部３４から入力された情報がモニタやステレオの基本機能（再生開始、停止、次の曲、電源オフ等）を示す場合には赤外線発光部３６より外部へ送信する。また、ホームサーバ１のメモリ５へのアクセスに関する場合には無線ＬＡＮ通信部３７より外部へ送信する。
【００２３】
本実施例では、単一のＰＤＡ３１を用いて複数の再生装置２１〜２６に対して情報を送信するようになっている。従って、例えば表示部３３に表示されたメニュー画面に、「モニタ」や「ステレオ」等の再生装置の種類を入力する入力欄が表示されているものとする。
【００２４】
そして、ユーザによって、この再生装置の種類が入力（指定）された後、その再生装置に実行させたい機能が指示入力されることにより、ＰＤＡ３１の制御部３２は、赤外線発光部３６から送信する情報に含まれる制御コードを、指定された再生装置に併せたコード情報に変換するようになっている。
【００２５】
このような構成にすることにより、ＰＤＡ３１は、複数の異なる種類の再生装置が隣接して設置されており、ユーザの希望する再生装置以外の再生装置に誤って受信されてしまったとしても、受信された情報（ＰＤＡ３１が送信した情報）に含まれる制御コードを判別できず、無視されるようになっている。
【００２６】
同様に、ＰＤＡ３１の制御部３２は、無線ＬＡＮ通信部３７から送信される情報に含まれる制御コードについても、ホームサーバ１が判別可能なコード情報に変換するようになっている。尚、本実施例では、ホームサーバ１が判別可能なコード情報は、各種再生装置が判別可能なコード情報と同じコード形式でも、異なったコード形式でも構わない。
【００２７】
また、ＰＤＡ３１において、赤外線発光部３６や無線ＬＡＮ通信部３７は、ＰＤＡ３１に内蔵されていても、もしくはＳＤＩＯカード等を用いて拡張されていても本実施例に適用可能である。
【００２８】
次に、第１乃至第３のモニタ２１、２４、２５、第１乃至第３のステレオ２２、２３、２６の夫々は、図６に示すように、制御部１２、入力部１３、表示／出力部１４、メモリ１５、再生部１６、通信部１７、及び赤外線受光部１８とを有している。
【００２９】
制御部１２は、赤外線受光部１８を介して外部（ＰＤＡ３１）より情報を受信する。この際、制御部１２は、赤外線受光部１８を介して入力された情報に、当該再生装置の種類に対応するコード形式で含まれている場合に、当該再生装置に対する情報を受信したと判断するようになっている。
【００３０】
この受信情報に伴って、メモリ１５に保存したり、再生部１６及び表示／出力部１４にて再生した映像や音楽の情報を表示／出力したり、必要に応じて受信情報を通信部１７から変換装置２７ａ〜２７ｆを介してホームサーバ１へ送信する。
【００３１】
また、各再生装置（第１乃至第３のモニタ、ステレオ）２１〜２６の夫々は、機器固有の識別情報（本実施例では、図３に示すように、１００１、１００２、１００３、・・・）をメモリ１５に格納している。従って、制御部１２では、上記受信情報の送信の際に、メモリ３５から機器固有の識別情報を読み出し、通信部１７から変換装置２７ａ〜２７ｆを介してホームサーバ１へ送信する。
【００３２】
この際、赤外線受光部１８にてＰＤＡ固有番号を含む情報が受信された場合には、制御部１２は、図７に示すように、機器固有の識別情報あるいは制御データとともに、ＰＤＡ固有番号を通信部１７から変換装置２７ａ〜２７ｆを介してホームサーバ１へ送信する。
【００３３】
また、制御部１２は、変換装置２７ａ〜２７ｆを介して通信部１７にてホームサーバ１から送信された受信した映像や音楽等のデータを受信する。そして、メモリ１５に保存し、再生部１６にて再生し、表示／出力部１４で映像や音楽の情報を表示／出力する。
【００３４】
上述するような構成により、例えば第２の部屋の第１のステレオ２２で音楽を再生する時には、ＰＤＡ３１の入力部３４からは、再生開始、停止、次の曲、前の曲、音量の調節や電源のＯＮ／ＯＦＦ等の基本機能に関する指示が入力される。
【００３５】
このような再生装置自体の基本機能に関する指示が入力された場合、ＰＤＡ３１の制御部３２は、音量の調節や電源のＯＮ／ＯＦＦ等の再生装置内部の処理だけで終わる指示内容であれば、制御データを赤外線発光部３６から外部へ送信する。この際、ユーザによってＰＤＡ３１が第１のステレオ２２の方向へ向けられることによって、再生装置はこの送信情報を受信できる。
【００３６】
また、このような再生装置自体の基本機能に関する指示が入力された場合、ＰＤＡ３１の制御部３２は、再生開始や次の曲等の再生装置内部に留まらず、ホームサーバ１の処理をも含む指示内容であれば、制御データ及びＰＤＡ固有番号を赤外線発光部３６及び無線ＬＡＮ通信部３７の双方から外部へ送信する。この際、ユーザによってＰＤＡ３１が第１のステレオ２２の方向へ向けられることによって、再生装置はこの送信情報を受信できる。
【００３７】
第１のステレオ２２の制御部１２では、赤外線受光部１８から制御データを受信すると、音量の調整などの再生装置内部のみの処理が指示された場合には、再生装置内部で音量調節処理を行い、次の指示を待つ。
【００３８】
また、第１のステレオ２２の制御部１２では、赤外線受光部１８から受信した制御データが、次の曲、停止、再生開始などの処理を指示している場合には、通信部１７及び変換装置２７を介して、受信した制御データとＰＤＡ固有番号、及び再生装置自己の識別情報をホームサーバ１へ送信する。
【００３９】
ホームサーバ１の制御部２は、通信部６を介して再生装置（この場合第１のステレオ２２）からＰＤＡ固有番号や再生装置の識別情報、制御データを受信し、無線ＬＡＮアクセスポイント１１からＰＤＡ固有番号と制御データを受信すると、指示されたコンテンツデータをメモリ５から読み出して、ＰＤＡ固有番号が一致した再生装置に対して、指示されたコンテンツデータを配信する。
【００４０】
次に、図８のフローチャート図を用いて、ＰＤＡ３１を用いて再生指示され、再生装置にデータを再生する再生処理の一連の流れを説明する。
【００４１】
まず、例えば第２の部屋において、ユーザの保持するＰＤＡ３１に対して、ＰＤＡ３１の表示部３３にメニュー画面等が表示されている。そして、ユーザによって入力部３４が操作されることにより、ＰＤＡ３１に表示されたメニュー画面を用いて、ホームサーバ１に格納されている音楽あるいは映像等のコンテンツデータが選択される（ＳＴ１１）。
【００４２】
すると、ＰＤＡ３１の制御部３２は、メモリ３５からＰＤＡ固有番号を読み出し、またＳＴ１１で指示入力された入力情報（即ち選択されたコンテンツデータ）から制御データを作成し、図５に示すような少なくともＰＤＡ固有番号と制御データとから構成される送信データを無線ＬＡＮ通信部３７から外部へ送信する（ＳＴ１２）。
【００４３】
また、ＳＴ１２で無線ＬＡＮ通信部３７を介して外部へ送信した送信データを、赤外線発光部３６を介して外部へ送信する（ＳＴ１３）。この際、ユーザは、第２の部屋に設置された複数の再生装置のうち、再生処理を施したい再生装置に対して、ＰＤＡ３１（の特に赤外線発光部３６）を向ける必要がある。
【００４４】
尚、本実施例では、送信データを、まず無線ＬＡＮ通信部３７を介して送付後に赤外線発光部３６を介して送信しているが、これに限らず、まず赤外線発光部３６を介して送付後に無線ＬＡＮ通信部３７を介して送付してもよく、また同時に送付しても良い。
【００４５】
また、赤外線発光部３６から送信する情報は、少なくともＰＤＡ固有番号を含み、更には制御データが含まれていても良い。
【００４６】
ここで、本実施例では、例えばユーザが再生処理を施したい再生装置として、第２の部屋に設置されている第１のステレオ２２が選択された場合を挙げて説明する。
【００４７】
次に、無線ＬＡＮサクセスポイント１１は、ＰＤＡ３１から無線で送信された図５に示すような送信データを受信すると（ＳＴ２１）、受信した情報をホームサーバ１へ転送する（ＳＴ２２）。
【００４８】
次に、例えば第２の部屋に設定された、ユーザが再生処理を行ないたい再生装置、例えば第１のステレオ２２においては、赤外線受光部１８からＰＤＡ３１の送信した少なくともＰＤＡ固有番号が含まれた情報を受信する（ＳＴ３１）。
【００４９】
第１のステレオ２２の制御部１２は、ＳＴ３１で受信した情報をメモリ１５に一旦保存する。そして、この（少なくともＰＤＡ固有番号を含む）受信情報に自己の識別情報「１００２」を追加した図７に示すようなデータを作成し、通信部１７から変換装置２７ｂを介してホームサーバ１へ送信する（ＳＴ３２）。
【００５０】
次にホームサーバ１では、無線ＬＡＮアクセスポイント１１から転送された情報を通信部６で受信し、受信情報からＰＤＡ固有番号及び制御データを抽出し、メモリ５へ記録する（ＳＴ４１）。
【００５１】
続けて、ホームサーバ１の制御部２は、各再生装置２１〜２６から情報を受信するため待機する（ＳＴ４２）。ここで、所定時間経っても、家屋内の各再生装置２１〜２６のいずれからも情報を受信しなかった場合には、タイムオーバーと判断し（ＳＴ４３のＹｅｓ）、エラー処理を施して一連の処理を終了する（ＳＴ４４）。
【００５２】
ホームサーバ１の制御部２は、通信部６を介して各再生装置２１〜２６のいずれか（本実施例では第２の部屋の第１のステレオ２２）から、少なくともＰＤＡ固有番号を含む情報が受信されると、受信された情報からＰＤＡ固有番号を抽出し、メモリ５に記憶する（ＳＴ４５）。
【００５３】
次に、ホームサーバ１の制御部２は、無線ＬＡＮで受信したＳＴ４１で抽出／記憶したＰＤＡ固有番号と、再生装置から受信したＳＴ４５で抽出／記憶したＰＤＡ固有番号とを比較する（ＳＴ４６）。
【００５４】
ＳＴ４６による比較の結果、ＰＤＡ固有番号が一致しなかった場合には（ＳＴ４７のＮｏ）、ＳＴ４５において他の再生装置（本実施例では第１のステレオ２２以外）からの受信があれば、ＳＴ４６に進み、無線ＬＡＮで受信したＳＴ４１で抽出／記憶したＰＤＡ固有番号と、再生装置から受信したＳＴ４５で抽出／記憶したＰＤＡ固有番号とを比較する（ＳＴ４６）。
【００５５】
ＳＴ４６による比較の結果、ＰＤＡ固有番号が一致せず（ＳＴ４７のＮｏ）、他に受信がなかった場合には（ＳＴ４８のＮｏ）、エラー処理を施して一連の処理を終了する（ＳＴ４４）。
【００５６】
ＳＴ４６による比較の結果、ＰＤＡ固有番号が一致した場合には（ＳＴ４７のＹｅｓ）、ホームサーバ１の制御部２は、ＳＴ４１で抽出した制御データで指示されたデータをメモリ５から読み出す。
【００５７】
次に、制御部２は、メモリ５に記憶された図３に示すテーブルから識別情報「１００２」に対応する送信アドレス「ＢＢＢＢＢ」を読み出し、この送信アドレスに基づいて、通信部６を介してＰＤＡ固有番号が一致した再生装置（本実施例では第１のステレオ２２）に対して、読み出したデータを送信する（ＳＴ４９）。
【００５８】
ＳＴ４９で送信されたデータは、第１のステレオ２２に接続された変換装置２７ｂにて所定の変換が行われた後、第２のステレオ２２の通信部１７を介して受信される。第２のステレオ２２の制御部１２は、ホームサーバ１から映像や音楽等のデータを受信すると（ＳＴ３３）、メモリ１５に保存し、再生部１６にて再生し、表示／出力部１４で映像や音楽の情報を表示／出力する（ＳＴ３４）。
【００５９】
このように本実施の形態では、携帯端末装置であるＰＤＡは、指示入力（特にコンテンツデータの選択および／または再生が指示入力）された場合に、２系統の通信網を用いて２つの装置（ホームサーバであるデータ管理装置と、再生装置）に指示入力内容とＰＤＡを識別するための情報を送信している。
【００６０】
即ち、ＰＤＡは、同時あるいは連続して、無線でホームサーバへ指示内容と自己を識別する情報を送付するとともに、赤外線等の無線かつ上記ホームサーバとは別の通信経路で、（ユーザが再生を希望する再生装置へ）少なくとも自己の識別情報を送付するようになっている。
【００６１】
また、家屋内に設置された家電機器としての再生装置は、ＰＤＡを識別する情報を受信すると、自己を識別する情報を追加して、ホームサーバへと送信するようになっている。
【００６２】
また、データ管理装置としてのホームサーバでは、ＰＤＡから送信されたＰＤＡの識別情報と、再生装置から送信されたＰＤＡの識別情報とを比較し、一致した再生装置に対して、ＰＤＡで指示された内容（例えばコンテンツデータの配信等）を実行するようになっている。
【００６３】
従って、ホームサーバ等のデータ管理装置において、複数の再生装置で再生可能なコンテンツデータを記憶しておき、家屋内や１つの部屋内に複数の再生装置が設置されている場合においても、ユーザが希望するデータを、複数の再生装置の中からユーザが希望する再生装置に対して的確に提供できるという効果を奏する。
【００６４】
【発明の効果】
以上説明したように、本発明によれば、ユーザが希望するデータを、複数の再生装置の中からユーザが希望する再生装置に対して的確に提供できる。
【図面の簡単な説明】
【図１】本発明の一実施の形態に係るホームサーバ１及び家屋内に設置された周辺再生装置の構成を示す図。
【図２】ホームサーバ１の概略的な構成を示す図。
【図３】ホームサーバ１のメモリ５に格納されたテーブルを説明するための図。
【図４】ＰＤＡ３１の概略的な構成を示す図。
【図５】ＰＤＡ３１から赤外線発光部３６あるいは無線ＬＡＮ通信部３７から外部へ送信するデータの構成を示す図。
【図６】各再生装置（第１乃至第３のモニタ、ステレオ）２１〜２６の概略的な構成を示す図。
【図７】各再生装置（第１乃至第３のモニタ、ステレオ）２１〜２６からホームサーバ１へ送信するデータの構成を示す図。
【図８】ＰＤＡ３１を用いて、再生装置にデータを再生する為の再生処理の一連の流れを説明するためのフローチャート図。
【符号の説明】
１    ホームサーバ
１１    無線ＬＡＮアクセスポイント
１８、１８ａ〜１８ｆ    赤外線受光部
２１、２４、２５    モニタ（再生装置）
２２、２３、２６    ステレオ（再生装置）
２７ａ〜２７ｆ    変換装置
３１    ＰＤＡ
３６    赤外線発光部
３７    無線ＬＡＮ通信部
【図１】
2004179934.tif 000003
【図２】
2004179934.tif 000004
【図３】
2004179934.tif 000005
【図４】
2004179934.tif 000006
【図５】
2004179934.tif 000007
【図６】
2004179934.tif 000008
【図７】
2004179934.tif 000009
【図８】
2004179934.tif 000010